(57)【特許請求の範囲】
【請求項１】
合成樹脂製蓋体１の頂板２裏面へ鏡21を付設したコンパクト容器の蓋体であって、
該蓋体は裏返し状態において、蓋体頂板２の上面へ固着させて起立する合成樹脂製止め枠11の枠板部分12の複数箇所へ、ほぼ等間隔に横設した水平割溝13の一端から縦溝14を起立することで、水平割溝上方の枠板部分を屈折ないし折り取り可能なバネ板15に形成し、該バネ板の自由端から突設した止め爪16を、上記止め枠11内へ嵌合させた鏡21の外周部上面へ係止させて、鏡21を蓋体頂板２と上記複数の止め爪16とで挟持させた
ことを特徴とするコンパクト容器の鏡付き蓋体。
【請求項２】
合成樹脂製蓋体１の頂板２の裏面へ鏡21を付設したコンパクト容器の蓋体であって、
該蓋体は裏返し状態において、蓋体頂板の上面から嵌合枠2aを一体に起立すると共に、該嵌合枠外周の頂板部分上面へ固着させて嵌合枠よりも高く起立する合成樹脂製止め枠11の枠板部分の複数箇所へほぼ等間隔に横設した水平割溝13一端から縦溝14を起立することで、水平溝上方の枠板部分を屈折ないし折り取り可能なバネ板15に形成し、該バネ板の自由端から突設した止め爪16先端部を上記嵌合枠2a内へ嵌合させた鏡21の外周部上面へ係止させて鏡21を蓋体頂板と上記複数の止め爪16とで挟持させた
ことを特徴とするコンパクト容器の鏡付き蓋体。
【請求項３】
止め爪16の上面を、先端に向って下降する傾斜面17に形成し、該傾斜面の角度は、傾斜面17上方部分の上面へ外周下縁を接して各止め爪上へ鏡21を載置させた状態から鏡を下方へ押圧すると、止め爪16がバネ板15の弾性に抗し外方へ移動して止め爪先端から鏡外周下縁が離脱可能に形成したことを特徴とする請求項１又は請求項２記載のコンパクト容器の鏡付き蓋体。
【発明の詳細な説明】
【０００１】
【発明の属する技術分野】
本発明はコンパクト容器の鏡付き蓋体に関する。
【０００２】
【従来の技術】
通常化粧用コンパクト容器の蓋体裏面には、表裏両面へ接着剤を塗布した両面テープを用いて、鏡を貼付させている。
【０００３】
【発明が解決しようとする課題】
近時廃棄物の増大のため、廃棄物を材質毎に分別し、分別された資材を再利用することが重視されている。
【０００４】
化粧用コンパクト容器は、通常合成樹脂製の容器本体と蓋体とから形成されているが、その蓋体裏面には鏡が固着されているから、上記分別の見地からその鏡を外すことが必要であるが、その鏡は容易に外すことは出来なかった。尚容器本体と蓋体とは従来金属製ピンで枢着されていたが、該枢着も合成樹脂で行う試みがなされており、このようにすることで鏡を外した蓋体は容器本体と共に合成樹脂として再溶融して利用できる。
【０００５】
本発明の主たる課題は上記コンパクト容器の蓋体から鏡を容易に外すことが可能として、上記廃棄時の分別に便利であるようにすることであり、又その蓋体裏面への鏡の装着が容易とすることもその課題の一つとするものである。
【０００６】
【課題を解決するための手段】
第１の手段として合成樹脂製蓋体１の頂板２裏面へ鏡21を付設したコンパクト容器の蓋体であって、
該蓋体は裏返し状態において、蓋体頂板２の上面へ固着させて起立する合成樹脂製止め枠11の枠板部分12の複数箇所へ、ほぼ等間隔に横設した水平割溝13の一端から縦溝14を起立することで、水平割溝上方の枠板部分を屈折ないし折り取り可能なバネ板15に形成し、該バネ板の自由端から突設した止め爪16を、上記止め枠11内へ嵌合させた鏡21の外周部上面へ係止させて、鏡21を蓋体頂板２と上記複数の止め爪16とで挟持させた。
【０００７】
第２の手段として合成樹脂製蓋体１の頂板２の裏面へ鏡21を付設したコンパクト容器の蓋体であって、
該蓋体は裏返し状態において、蓋体頂板の上面から嵌合枠2aを一体に起立すると共に、該嵌合枠外周の頂板部分上面へ固着させて嵌合枠よりも高く起立する合成樹脂製止め枠11の枠板部分の複数箇所へほぼ等間隔に横設した水平割溝13一端から縦溝14を起立することで、水平溝上方の枠板部分を屈折ないし折り取り可能なバネ板15に形成し、該バネ板の自由端から突設した止め爪16先端部を上記嵌合枠2a内へ嵌合させた鏡21の外周部上面へ係止させて鏡21を蓋体頂板と上記複数の止め爪16とで挟持させた。  第３の手段として、上記第１又は第２の手段を有すると共に止め爪16の上面を、先端に向って下降する傾斜面17に形成し、該傾斜面の角度は、傾斜面17上方部分の上面へ外周下縁を接して各止め爪上へ鏡21を載置させた状態から鏡を下方へ押圧すると、止め爪16がバネ板15の弾性に抗し外方へ移動して止め爪先端から鏡外周下縁が離脱可能に形成した。
【０００８】
【発明の実施の形態】
１は合成樹脂製の蓋体である。説明の便宜上、該蓋体裏返し状態において説明すると、その頂板２外周から斜上外方へ、断面凸円弧状に外周壁３を起立し、又その外周壁の後壁部上面の左右方向中間部から軸受け板４を起立し、又外周壁前壁部上面の左右方向中間部からは、図示しない容器本体前壁へ係合させるためのフック５を起立している。
【０００９】
上記頂板２の上面へは図１、図２が示すように合成樹脂製の止め枠11を溶着ないし接着等して固定させる。該止め枠は止め枠を形成する枠板部分12の複数箇所へ、ほぼ等間隔に水平割溝13を長く横設すると共に、該水平割溝の一端から縦溝14を起立させることで、水平割溝上方の枠板上半部分を屈折ないし折り取り可能なバネ板15に形成し、該バネ板の自由端内面から枠内方へ止め爪16を突設している。該止め爪上面は、図示のように先端に向って下降する傾斜面17に形成するとよい。該傾斜面については後述する。
【００１０】
21は上記止め枠11内へ固定させた鏡で、止め爪16によって上方への抜出しを防止されている。止め枠11内への鏡21の嵌合は、既述各バネ板15を弾性に抗して外方へ弯曲させた状態で行うことが出来るが、図示例のように止め爪上面へ既述傾斜面17を付形し、それ等各爪傾斜面の上方部分上面へ鏡21の外周下縁22を載置させ、該状態から鏡を下方へ押下げることで各止め爪16をバネ板15の弾性に抗して移動させ、該移動により鏡の外周下縁から各止め爪先端を外すことで、止め枠11内へ鏡21を嵌合させることも出来る。この場合は各傾斜面の傾斜角を上記操作が可能な程度に急角度とすることが必要である。
【００１１】
図５は別実施形態を示す。該実施形態にあっては合成樹脂製蓋体頂板２の上面から嵌合枠2aを一体に起立しておき、該嵌合枠外周の蓋板頂板部分へ合成樹脂製止め枠11下面を溶着等で固着させて上記嵌合枠2aよりも高く起立させ、又止め枠は既述のように形成してそのバネ板15の自由端に付設した止め爪16先端部を鏡21の外周部上面へ係止させている。該実施形態の場合も、それ等止め爪上面へ上記傾斜面17を設けて鏡の装着を容易とするがよい。
【００１２】
既述構成において、コンパクト容器廃棄時には、図４が示すように各バネ板15の自由端を持ち、強制的に外方へ押す等することでバネ板15を折り、ないしは外方又は上外方等へ曲げて鏡外方へ止め爪16先端を移動させ、該状態から蓋体１を正立状態に戻せば、鏡21を落下させることが出来る。
【００１３】
【発明の効果】
本発明は既述構成とするもので、複数のバネ板15先端に付設した各止め爪16と蓋体頂板２とで、止め枠11内へ嵌合させた鏡21を挟持させたから、そのバネ板15を強制的に変形ないし折り取ることで鏡を容易に外すことが出来、よって廃棄時における材質毎の分別が容易である。
【００１４】
請求項２の場合のように鏡21を蓋体頂板２から一体的に突設した嵌合枠2a内へ嵌合させ、その嵌合枠外周の頂板部分に止め枠11を固着させて、該止め枠が有するバネ板の止め爪16と蓋体の頂板とで上記鏡を挟持させることで、蓋体頂板２に対する止め枠11の位置決めが容易となる。
【００１５】
請求項３のように各止め爪16上面に傾斜面17を設けてその傾斜面を、その傾斜面の上部上面（蓋体正立時の下面）上へ鏡外周を載置させた状態からの鏡押下げで止め爪16がバネ板15の弾性に抗して外方へ移動し各止め爪先端から鏡外周下縁が離脱するよう設けることで、蓋体頂板の止め枠11ないし嵌合枠2a内への嵌合を容易かつ迅速に行うことが出来る。
【図面の簡単な説明】
【図１】  倒立状態で示す、本発明蓋体の斜視図である。
【図２】  図１要部の断面図である。
【図３】  蓋体に付設する部材の分解斜視図である。
【図４】  鏡取外し方法の説明図である。
【図５】  実施形態を異にして示す、蓋体要部の断面図である。
【符号の説明】
１…蓋体                  ２…頂板
2a…嵌合枠                11…止め枠
13…水平割溝              15…バネ板
17…傾斜面                21…鏡
【図１】
0003819168.tif 000002
【図２】
0003819168.tif 000003
【図３】
0003819168.tif 000004
【図４】
0003819168.tif 000005
【図５】
0003819168.tif 000006